(57)【特許請求の範囲】
【請求項１】
苗載台（１６）の左右一側の１条または複数条の苗載台を主苗載台（１６Ｍ）から分割可能な分割苗載台（１６Ｄ）とし、その他を固定された主苗載台（１６Ｍ）とし、該外した分割苗載台（１６Ｄ）を主苗載台（１６Ｍ）上に着脱可能とする田植機において、該分割苗載台（１６Ｄ）側の背面下部に複数の嵌合ピン（４１Ｌ・４１Ｒ）を突出して、前記主苗載台（１６Ｍ）側の表面上に、前記嵌合ピン（４１Ｌ・４１Ｒ）を上方から嵌合する支持パイプ（４３Ｌ・４３Ｒ）を設け着脱可能とし、前記嵌合ピン（４１Ｌ・４１Ｒ）は分割苗載台（１６Ｄ）の側端近傍に配置し、前記嵌合ピン（４１Ｌ・４１Ｒ）の少なくとも一つを分割苗載台（１６Ｄ）の側面より外方に突出配置し、前記主苗載台（１６Ｍ）の上部に設けた係合ピン（４４）を設け、該係合ピン（４４）を下方へ回動すべく付勢して、前記分割苗載台（１６Ｄ）の背面の上部に設けた係合孔（４２）に嵌合し、該分割苗載台（１６Ｄ）の下部に設けた嵌合ピン（４１Ｌ・４１Ｒ）と支持パイプ（４３Ｌ・４３Ｒ）との嵌合部に、ワンタッチ係止具（３９）を設けたことを特徴とする田植機の分割苗載台支持構造。
【発明の詳細な説明】
【０００１】
【発明の属する技術分野】
本発明は、乗用田植機の苗載台の左右一側を取り外して収納し、左右幅を狭めて格納したり、搬送したりできるようにした田植機に関する。
【０００２】
【従来の技術】
従来から、８条植え以上の多条植え型田植機においては、搬送や移動や格納する場合には、苗載台が左右横方向にはみ出し、苗載台が邪魔になることがあるので、苗載台やガイドレールを折り畳めるように構成した技術が公知となっている。例えば、特開平１０−１２７１２１号の技術である。この技術の苗載台は、左右両側の２条分の苗載台を、平行移動しながら中央の苗載台上に載置するように折り畳み、左右のガイドレールやバンパーは上方または前方へ折り畳むように構成していた。
【０００３】
【発明が解決しようとする課題】
しかし、従来の苗載台の折り畳み機構は、リンク機構により平行移動する構成としていたので、機構が複雑となり、また、左右の苗載台を中央の苗載台側に折り畳み、それぞれをロックする構成としていたので、操作手順が多くなり、面倒な作業となっていたのである。さらに、折り畳んだだけでは、折り畳んだ苗載台が振動したりぐらつくので、ロックして固定する必要があり、操作が多く面倒であった。
【０００４】
【課題を解決するための手段】
本発明の解決しようとする課題は以上の如くであり、次に該課題を解決するための手段を説明する。
【０００５】
苗載台（１６）の左右一側の１条または複数条の苗載台を主苗載台（１６Ｍ）から分割可能な分割苗載台（１６Ｄ）とし、その他を固定された主苗載台（１６Ｍ）とし、該外した分割苗載台（１６Ｄ）を主苗載台（１６Ｍ）上に着脱可能とする田植機において、該分割苗載台（１６Ｄ）側の背面下部に複数の嵌合ピン（４１Ｌ・４１Ｒ）を突出して、前記主苗載台（１６Ｍ）側の表面上に、前記嵌合ピン（４１Ｌ・４１Ｒ）を上方から嵌合する支持パイプ（４３Ｌ・４３Ｒ）を設け着脱可能とし、前記嵌合ピン（４１Ｌ・４１Ｒ）は分割苗載台（１６Ｄ）の側端近傍に配置し、前記嵌合ピン（４１Ｌ・４１Ｒ）の少なくとも一つを分割苗載台（１６Ｄ）の側面より外方に突出配置し、前記主苗載台（１６Ｍ）の上部に設けた係合ピン（４４）を設け、該係合ピン（４４）を下方へ回動すべく付勢して、前記分割苗載台（１６Ｄ）の背面の上部に設けた係合孔（４２）に嵌合し、該分割苗載台（１６Ｄ）の下部に設けた嵌合ピン（４１Ｌ・４１Ｒ）と支持パイプ（４３Ｌ・４３Ｒ）との嵌合部に、ワンタッチ係止具（３９）を設けたものである。
【０００６】
【発明の実施の形態】
次に、本発明の実施の形態を説明する。
【０００７】
図１は左右方向の長さを縮小できる苗載台を備えた田植機の全体側面図、図２は分割苗載台を主苗載台上に載せて収納した状態を示す後面図、図３は苗載台の後面図、図４は苗載台の側面図、図５は分割苗載台の背面図、図６は同じく分割苗載台の一側の拡大背面図、図７は右嵌合ピンの正面図、図８は同じく平面図、図９は同じく側面図、図１０は左嵌合ピンの平面図と正面図と側面図、図１１は支持パイプ取付部の後面図、図１２は支持パイプの側面図、図１３は係合ピンの側面図、図１４はエンジンの正面図、図１５は予備苗載台の取付部の正面図、図１６は取付支柱の正面図、図１７は延長レール折り畳み機構を示す平面図、図１８は支持ロッドの正面図、図１９は同じく平面図である。
【０００８】
まず、８条の乗用田植機について図１より全体構成から説明する。乗用田植機Ａは走行部１の後部に昇降リンク機構２７を介して植付部４が配置され、該走行部１は車体フレーム３前部上方にエンジン２を搭載し、前下部にフロントアクスルケースを介して前輪６を支持させると共に、後部にリヤアクスルケース７を介して後輪８を支持している。そして、前記エンジン２はボンネット９に覆われ、該エンジン２には図１４に示すように、出力軸９０が前方へ突出されて、該出力軸９０上に出力プーリー９１を固設している。一方、伝動軸を車体フレーム３・３の間で前後方向に横架して、該伝動軸の前端にプーリー９２を固設して、該プーリー９２と前記出力プーリー９１との間にベルト９３を巻回して、該ベルト９３はテンションプーリー９４によって緊張され、該テンションプーリー９４を枢支するテンションアームは、テンションステー９５に支持され、該テンションステー９５にアースコード９６の一端を固定して車体フレーム３と連結している。該アースコード９６は従来、エンジン２のハウジングとなる割ケースを合わせて固定するボルトに共締めして固定していたので、油漏れの原因となったり、回転部分に近く巻き込むおそれがあったが、本実施例では、テンションステー９６固定するので、エンジン本体の締付に関係なく、回転部分より離れて確実にアースを取れる構造としている。
【０００９】
また、前記ボンネット９後部のダッシュボード５上に操向ハンドル１４を配置し、該ボンネット９両側とその後部の車体フレーム３上を車体カバー１２で覆い、操向ハンドル１４後方位置に座席１３を配置し、ボンネット９の両側を前ステップとし、座席１３前部を中ステップとし、座席１３左右両側及び後方を後ステップとしている。また、前記ボンネット９の両側に予備苗載台１０・１０が配設され、該予備苗載台１０は図１５、図１６に示すように、正面視Ｌ字状に構成した支柱１０ａの基端部が車体フレーム３の側面に固設され、該支柱１０ａの水平部には支持ステー９７・９８が平行に固設され、該支持ステー９７の中途部上に支持部９７ａを構成して、該支持部９７ａと前記ボンネット９両側の前ステップ１２ａを支持するための前ステップフレーム１１の間に補強ステー９９を連結固定している。従来、この補強ステーはＬ字状に構成して前ステップ１２ａの上面と支柱１０ａの垂直部との間を連結固定していたので、エンジン２下部のメンテナンス等を行うときに補強ステーを外してから前ステップを外しメンテナンスを行わなければならず、大変作業性が悪かったのである。本実施例では、補強ステー９９は前ステップ下方に位置し、前ステップを外す時に補強ステーは外すことなく邪魔にならず、外観上も向上できたのである。
【００１０】
そして、前記運転席１３の側部には走行変速レバー３０や植付昇降兼作業走行変速用副変速レバー３１や植付感度調節レバーが配置され、ダッシュボード下部のステップ上には主クラッチペダル３２や左右ブレーキペダルが配設され、前記座席１３後方には８条用の施肥機３３が配設されている。
【００１１】
また、前記植付部４は苗載台１６や植付爪１７やセンターフロート３４やサイドフロート３５等から構成されており、前記苗載台１６は前高後低に配設して、苗載台１６の下部は下ガイドレール１８、前面の上部は上ガイドレール１９によって左右往復摺動自在に支持し、該下ガイドレール１８及び上ガイドレール１９は植付センターケース２０よりフレーム等を介して支持されている。そして、植付センターケース２０より連結パイプを介してチェーンケース２１を平行に後方へ突出して、該チェーンケース２１の後部に一方向に回転させるロータリーケース２２を配置し、該ロータリーケース２２の両側に一対の植付爪１７・１７を配置している。こうして、前進走行とともに苗載台１６を左右に往復摺動して、この往復動に同期させて植付爪１７を駆動して一株分の苗を切り出し、連続的に植え付け作業を行うように構成している。
【００１２】
また、前記植付センターケース２０の前部に、ローリング支点軸を介して前記昇降リンク機構２７と連結され、該昇降リンク機構２７はトップリンク２５やロワーリンク２６等より構成され、座席１３下方に配置した昇降シリンダ２８によって植付部４を昇降できるようにしている。
【００１３】
次に、本発明の苗載台１６の構成を説明する。前記苗載台１６は、図２〜図５に示すように、進行方向右外側の二条分の苗載台を分割して分割苗載台１６Ｄとし、機体中央側の固定された六条分の苗載台を主苗載台１６Ｍとしており、前記分割苗載台１６Ｄを着脱可能に構成して、該分割苗載台１６Ｄを取り外して主苗載台１６Ｍの苗載面側の上に載置嵌合して収納可能に構成している。
【００１４】
そして、下ガイドレール１８から外側へ延長した延長レール７０は前方へ回動して折り畳み収納できるようにしており、図１７に示すように、該下ガイドレール１８の左右両側において、長さが略半条分、分割されて延長レール７０とし、該延長レール７０は内側（機体左右中心側）の端部において、底面から連結ピン７５が内側に向けて突出され、苗載台のシューを載置する角パイプ部７０ａより連結ピン７６が内側に向けて突出されている。作業状態においては、該連結ピン７５は下ガイドレール１８に固定した図示しないパイプ部に挿入され、連結ピン７６は下ガイドレール１８の角パイプ部１８ａに挿入するようにしている。
【００１５】
そして、前記連結ピン７６の取付部より前方に支持ロッド７７が固定されており、該支持ロッド７７は図１７、図１８、図１９に示すように、ボルトにより固定するための取付パイプ７７ｃ・７７ｃ、ロッドを補強するための取付プレート７７ａ、一端をＬ状に折り曲げた把手７７ｂ、他側のガイド板７９のガイド孔７９ａ内に挿入する基端部７７ｄより構成される。該ガイド板７９はプレートが略逆Ｕ字状に曲げられて、この側面は円弧状としてその中央部にガイド孔７９ａが開口されている。そして、該ガイド板７９の開放側の両外側に傾斜させて取付パイプ７９ｂ・７９ｂが固設され、該取付パイプ７９ｂ・７９ｂにボルトを挿入して下ガイドレール１８の角パイプ部１８ａの前面に取り付けている。
【００１６】
そして、前記ガイド孔７９ａに挿入した支持ロッド７７の基端部７７ｄには座金とバネ８１を外嵌して、該バネ８１によって支持ロッド７７を内側へ引っ込むように付勢している。また、前記取付プレート７７ａの基部側端は「し」字状に曲げられてフック部７７ｅが形成され、一方、植付部４の本体側の最外側のチェーンケース２１の前部から外側方に係合体となる係止ピン８３が突設され、該係止ピン８３の先端はＬ字状に曲げられて、前記延長レール７０を折り畳む場合に前記フック部７７ｅを係止できるようにしている。
【００１７】
従来は、把手７７ｂを係止ピン８３に引っ掛けるようにしていたが、作業者が把手７７ｂを持って係止ピン８３に引っ掛けるときにその間に指を挟んだり、把手７７ｂの係止空間が広いために、係止しているときに延長レール７０がぐらつき、振動やその他の部品と干渉することがあった。本実施例ではフック部７７ｅが平板を折り曲げたものであるから係止ピン８３に対して線状で当たり、ぐらつくことがなく係止できるのである。なお、サイドバンパーは内方向へ摺動して収納できるようにしている。
【００１８】
また、前記苗載台１６は上面に各条毎に左右両側に前後方向にリブ１６ａ・１６ａ・・・を設けて、苗マットをリブ１６ａ・１６ａ・・・でガイドできるようにしており、前記分割苗載台１６Ｄの左右両側のリブ１６ａ・１６ａ上の上下中途部には図３に示すように、把持部であるハンドル４０Ｌ・４０Ｒが設けられ、ハンドル４０Ｌは後上方へ突出され、ハンドル４０Ｒは側方へ突出して配置されている。該ハンドル４０Ｌ・４０Ｒの苗載台１６の上下方向に対する配設位置は高さが異なり、外側（本実施例では右側４０Ｒ）を高くし、内側を低く配置している。
【００１９】
また、図３、図４において、主苗載台１６Ｍ及び分割苗載台１６Ｄには、それぞれ左右のリブ１６ａ・１６ａ間に苗マット押さえ４６と苗ストッパー４７が配置されている。前記苗マット押さえ４６は、縦押さえ棒４６ａと横支持棒４６ｂと支持シャフト４６ｃからなり、縦押さえ棒４６ａは側面視略逆Ｖ字状に構成して、その下側基部は支持シャフト４６ｃに固設され、該支持シャフト４６ｃの両側は、主苗載台１６Ｍにおいては、左から１条目の左側リブ１６ａと３条目の右側リブ１６ａと６条目の右側リブ１６ａ上に固設したストッパーステー５０・５０・５０に回転自在に枢支されている。分割苗載台１６Ｄにおいては、支持シャフト４６ｃの両側は両側のリブ１６ａ上に固設したストッパーステー５０・５０に回転自在に枢支されている。前記縦押さえ棒４６ａの上端は横支持棒４６ｂに固設され、該横支持棒４６ｂは平面視略Ｕ字状に構成して、その両端を前記ストッパーステー５０を固設したリブ１６ａの上方位置に配置した高さ調節ステー５１に係合可能としている。
【００２０】
そして、前記分割苗載台１６Ｄの背面（前面）側の左右両側の上下中途部には、図５、図６に示すように、嵌合突起として嵌合ピン４１Ｌ・４１Ｒが下方に向かって突出され、後述する主苗載台１６Ｍ上に設けた嵌合凹部となる支持パイプ４３Ｌ・４３Ｒに挿入して載置固定できるようにしている。前記嵌合ピン４１Ｌ・４１Ｒは、図７〜図１０に示すように、支持プレート３６・３６に貫通固定され、該支持プレート３６・３６が支持パイプ４３Ｌ・４３Ｒの上面に当たりストッパーとなっている。該支持プレート３６の一端はＬ字状に折り曲げてフック部３６ａを形成し、該フック部３６ａは後述するワンタッチ係止具３９に係止可能としている。
【００２１】
そして、左側の嵌合ピン４１Ｌの上部は図１０に示すように、支持プレート３６の上面で平面視Ｌ字状にプレートを折り曲げた取付プレート３７Ｌの下部に固設され、該取付プレート３７Ｌの左右面にボルト孔３７ａ・３７ａを開口して、苗載台１６のリブ１６ａの裏面に固設した補強レール３８と補強プレート４８Ｌに固定している。右側の嵌合ピン４１Ｒの上部は図７に示すように、支持プレート３６の上面で取付プレート３７Ｒの一端下部に固設され、該取付プレート３７Ｒはプレートを平面視Ｌ字状に、かつ、側面視逆Ｌ字状に折り曲げて強度を上げて、該取付プレート３７Ｒの他端は内方向（左方）に延設されて、その左右面にボルト孔３７ａ・３７ａを開口して苗載台１６のリブ１６ａの裏面に固設した補強レール３８と補強プレート４８Ｒに固定している。なお、前記補強プレート４８Ｒは図９に示すように、断面視で凸部分４８ａ・４８ｂの高さが異なり、この差は補強レール３８の厚さとなり、取付プレート３７Ｒを同じ高さで固定できるようにしている。
【００２２】
このような構成において、左側の嵌合ピン４１Ｌは左端のリブの裏側に位置して、主苗載台１６Ｍの側部に取り付けるときに邪魔にならないようにし、右側の嵌合ピン４１Ｒは分割苗載台１６Ｄの端部から外方に突出しているが、端部の近傍で大きく突出することはないように配置している。よって、分割苗載台１６Ｄを外して、嵌合ピン４１Ｌ・４１Ｒを前記支持パイプ４３Ｌ・４３Ｒに嵌合するときには、嵌合ピン４１Ｒが分割苗載台１６Ｄの右端よりも外側に位置しているので、嵌合ピン４１Ｒと支持パイプ４３Ｒの嵌合位置がよく見えて分かり、外して載せる作業が容易にできるようになったのである。
【００２３】
次に、嵌合ピン４１Ｌ・４１Ｒを挿入する支持パイプ４３Ｌ・４３Ｒについて説明する。嵌合ピン４１Ｌ・４１Ｒは左右対称に構成されているので、左側について説明する。図１１、図１２に示すように、鋼管等を側面視略クランク状に折り曲げて、それぞれの基部が平面視コ字状に構成した取付プレート５２に固設され、該取付プレート５２は裏面に固定軸５２ａ・５２ａを突設して、該固定軸５２ａ・５２ａをリブ１６ａに挿入して取付プレート５２を嵌合して、裏側からボルトで固定する構成としている。この取付位置は図３に示すように、前記支持パイプ４３Ｌは主苗載台１６Ｍの左から４条目の左側のリブ１６ａ上に固定され、支持パイプ４３Ｒは左から５条目の右側のリブ１６ａ上に固定され、外側に開くように構成されている。
【００２４】
該支持パイプ４３の斜辺部の上面（前面）と前記取付プレート５２の上面には補強プレート４３ａが上下方向（支持パイプの半径方向）に溶接等によって固設され、剛性をアップしている。そして、支持パイプ４３Ｌ・４３Ｒの中途部において対向する側面には取付ステー４３ｂ・４３ｂが側方に突設され、両取付ステー４３ｂ・４３ｂの間に図１１に示すように、連結杆４９が横架されて連結され、支持パイプ４３Ｌ・４３Ｒの左右方向の強度アップが図られている。そして、支持パイプ４３の下部はＬ字状に折り曲げて、下面を取付プレート５２に溶接等により固設し、下端は苗マット押さえ４６の端部を挿入する取付パイプ５３に当接させて溶接等で固設し、互いに補強し合うようにしている。そして、取付プレート５２下部上に前記ストッパーステー５０を固定して取付工数を減少できるようにしている。
【００２５】
また、支持パイプ４３Ｌ・４３Ｒの上部はＬ字状に折り曲げて、前記嵌合ピン４１Ｌ・４１Ｒを挿入する挿入部４３ｃ・４３ｃとしており、該挿入部４３ｃ・４３ｃは漏斗状に構成して嵌合ピン４１Ｌ・４１Ｒを挿入し易くしている。そして、該挿入部４３ｃ・４３ｃの外側面に取付面４３ｄ・４３ｄを形成してワンタッチ係止具３９・３９がそれぞれ固定されて、分割苗載台１６Ｄを載置した時に前記フック部３６ａ・３６ａを係止して強固に固定できるようにしている。
【００２６】
一方、分割苗載台１６Ｄの前上部、即ち、中央のリブの裏側（背面側）の上部に設けた前記上ガイドレール１９の左右中央部の上面には嵌合凹部となる係合孔４２が開口されて、主苗載台１６Ｍ上に設けた係合ピン４４を係合して固定できるようにしている。該係合ピン４４は図３に示すように、主苗載台１６Ｍの左から４条目の右側のリブ１６ａの上部に前記係合ピン４４が回動可能に配置されており、該係合ピン４４は図１３に示すように、側面視Ｌ字状に構成されて、先端は尖状に構成して係合孔４２に係合し易くし、回動基部にはバネ５７を嵌合して係合ピン４４が下方へ回動するように付勢している。こうして、係合ピン４４が係合孔４２に係合する方向に回動されて、抜け止めピン等を廃止して抜けにくい構成としている。また、係合ピン４４と嵌合ピン４１Ｌ・４１Ｒの３点支持として安定して支持し、幅を狭くするための収納作業が簡単に行えるようにし、支持部の構成が簡単なため軽量化を図ることができて、収納も容易にできるようにしているのである。
【００２７】
【発明の効果】
本発明は以上の如く構成したので、次のような効果を奏するのである。
苗載台（１６）の左右一側の１条または複数条の苗載台を主苗載台（１６Ｍ）から分割可能な分割苗載台（１６Ｄ）とし、その他を固定された主苗載台（１６Ｍ）とし、該外した分割苗載台（１６Ｄ）を主苗載台（１６Ｍ）上に着脱可能とする田植機において、該分割苗載台（１６Ｄ）側の背面下部に複数の嵌合ピン（４１Ｌ・４１Ｒ）を突出して、前記主苗載台（１６Ｍ）側の表面上に、前記嵌合ピン（４１Ｌ・４１Ｒ）を上方から嵌合する支持パイプ（４３Ｌ・４３Ｒ）を設け着脱可能とし、前記嵌合ピン（４１Ｌ・４１Ｒ）は分割苗載台（１６Ｄ）の側端近傍に配置し、前記嵌合ピン（４１Ｌ・４１Ｒ）の少なくとも一つを分割苗載台（１６Ｄ）の側面より外方に突出配置し、前記主苗載台（１６Ｍ）の上部に設けた係合ピン（４４）を設け、該係合ピン（４４）を下方へ回動すべく付勢して、前記分割苗載台（１６Ｄ）の背面の上部に設けた係合孔（４２）に嵌合し、該分割苗載台（１６Ｄ）の下部に設けた嵌合ピン（４１Ｌ・４１Ｒ）と支持パイプ（４３Ｌ・４３Ｒ）との嵌合部に、ワンタッチ係止具（３９）を設けたので、嵌合部分が分割苗載台で隠れることなく、作業者から嵌合時に見えるようになり、嵌合し易くなり、操作性を向上できた。
そして、一つを嵌合できれば他方は位置を対応して配置しているので、同時に嵌合することができ、分割苗載台を載せるための操作性を向上できた。
【００２８】
また、前記嵌合突起は分割苗載台の側端近傍に配置したので、嵌合突起のはみ出しを小さくでき、作業時の引っ掛かり等を防止することができる。また、作業者から遠く離れることもなく、操作性を悪化させない。
【００２９】
また、前記分割苗載台の背面の上部に設けた係合孔（４２）に、主苗載台（１６Ｍ）の上部に設けた係合ピン（４４）を嵌合するようにし、かつ前記分割苗載台の下部に設けた嵌合ピン（４１Ｌ・４１Ｒ）と支持パイプ（４３Ｌ・４３Ｒ）の間にワンタッチ係止具（３９）を設けたので、分割苗載台を主苗載台上に載せてロックする作業が、ピンやボルト等を用いることなく、簡単に固定することができ、ガタ等も小さくできる。また、ロック構成が簡単となり、部品の紛失もなくなる。
【図面の簡単な説明】
【図１】  左右方向の長さを縮小できる苗載台を備えた田植機の全体側面図である。
【図２】  分割苗載台を主苗載台上に載せて収納した状態を示す後面図である。
【図３】  本発明の苗載台の後面図である。
【図４】  苗載台の側面図である。
【図５】  分割苗載台の背面図である。
【図６】  同じく分割苗載台の一側の拡大背面図である。
【図７】  右嵌合ピンの正面図である。
【図８】  同じく平面図である。
【図９】  同じく側面図である。
【図１０】  左嵌合ピンの平面図と正面図と側面図である。
【図１１】  支持パイプ取付部の後面図である。
【図１２】  支持パイプの側面図である。
【図１３】  係合ピンの側面図である。
【図１４】  エンジンの正面図である。
【図１５】  予備苗載台の取付部の正面図である。
【図１６】  取付支柱の正面図である。
【図１７】  延長レール折り畳み機構を示す平面図である。
【図１８】  支持ロッドの正面図である。
【図１９】  同じく平面図苗載台の側面図である。
【符号の説明】
１６  苗載台
１６Ｄ  分割苗載台
１６Ｍ  主苗載台
３９  ワンタッチ係止具
４１Ｌ・４１Ｒ  嵌合ピン
４３Ｌ・４３Ｒ  支持パイプ
４４  係合ピン
【図１】
0004034917.tif 000002
【図２】
0004034917.tif 000003
【図３】
0004034917.tif 000004
【図４】
0004034917.tif 000005
【図５】
0004034917.tif 000006
【図６】
0004034917.tif 000007
【図７】
0004034917.tif 000008
【図８】
0004034917.tif 000009
【図９】
0004034917.tif 000010
【図１０】
0004034917.tif 000011
【図１１】
0004034917.tif 000012
【図１２】
0004034917.tif 000013
【図１３】
0004034917.tif 000014
【図１４】
0004034917.tif 000015
【図１５】
0004034917.tif 000016
【図１６】
0004034917.tif 000017
【図１７】
0004034917.tif 000018
【図１８】
0004034917.tif 000019
【図１９】
0004034917.tif 000020